(57)【要約】【課題】印刷領域外に吐出されたインクによって印刷画像が劣化してしまうことを抑制できる技術を提供する。【解決手段】印刷装置１０は、凝集剤を含む反応液の液滴を吐出可能な反応液吐出ヘッド３２ｒと、インク滴を吐出可能なインク吐出ヘッド３２ｉと、オーバープリント液の液滴を吐出可能なオーバープリント用ヘッド３２ｐと、を備える。フラッシング制御部１１ｆは、フラッシング処理において、印刷画像ＩＭが形成される印刷領域ＰＡ以外の非印刷領域ＮＰＡに、反応液吐出ヘッド３２ｒに反応液を吐出させて反応液層８１を形成する。そして、インク吐出ヘッド３２ｉにその反応液層８１の上にインク滴を吐出させる。【選択図】図１
2016043596.tif 000002
【特許請求の範囲】
【請求項１】
印刷方法であって、
インクヘッドから吐出される色材を含むインクによって印刷データに基づく印刷画像が形成される記録媒体上の印刷領域以外の非印刷領域に、前記色材と凝集反応可能な凝集剤を含む反応液の層である反応液層を形成する反応液層形成工程と、
前記非印刷領域の前記反応液層の上に前記インクヘッドから前記インクを吐出させて前記インクヘッドのフラッシングを行うフラッシング工程と、
を備える印刷方法。
【請求項２】
請求項１記載の印刷方法であって、さらに、
前記反応液層形成工程において用いられる前記反応液の量を、前記フラッシング工程において前記インクヘッドから吐出される前記インクの量に応じて決定する反応液量決定工程を備える、印刷方法。
【請求項３】
請求項１または請求項２記載の印刷方法であって、
前記フラッシング工程の実行頻度に応じて前記フラッシングにおいて吐出される前記インクの量を決定するインク量決定工程を備える、印刷方法。
【請求項４】
請求項３の印刷方法であって、
前記フラッシング工程の実行頻度を前記印刷領域における前記印刷画像の形成に用いられるインク量に応じて設定する頻度設定工程を備える、印刷方法。
【請求項５】
請求項１から請求項４のいずれか一項に記載の印刷方法であって、さらに、
前記反応液を反応液ヘッドから前記記録媒体上に吐出させて第１反応液層を形成し、前記第１反応液層の上に前記インクヘッドから前記インクを吐出させて前記印刷領域に前記印刷画像を形成する印刷画像形成工程を備え、
前記反応液層形成工程は、前記反応液ヘッドから前記反応液を吐出させることによって前記反応液層としての第２反応液層を形成する工程である、印刷方法。
【請求項６】
印刷装置であって、
記録媒体上に色材を含むインクを吐出可能なインクヘッドと、
前記インクヘッドから吐出される色材を含むインクによって印刷データに基づく印刷画像が形成される記録媒体上の印刷領域以外の非印刷領域に、前記色材と凝集反応可能な凝集剤を含む反応液の層である反応液層を形成可能な反応液層形成部と、
前記非印刷領域の前記反応液層の上に前記インクヘッドから前記インクを吐出させて前記インクヘッドのフラッシングを行うフラッシング制御部と、
を備える、印刷装置。
【発明の詳細な説明】
【技術分野】
【０００１】
本発明は、印刷方法、印刷装置に関する。
【背景技術】
【０００２】
印刷装置には、記録媒体にインク滴を吐出して画像を形成するインクジェットプリンターがある。インクジェットプリンターとしては、搬送中の印刷用紙に対してラインヘッドを用いて連続的に印刷画像を形成するラインプリンターが知られている（例えば、下記特許文献１〜３等）。また、インクジェットプリンターとしては、記録媒体に対するインク滴の固着性の向上や画質の向上等のために、インク中の色材を凝集可能な凝集剤をインク滴の吐出前に予め印刷画像の形成領域に付着させるものが知られている（例えば、特許文献２等）。
【先行技術文献】
【特許文献】
【０００３】
【特許文献１】特開２００４−９４７４号公報
【特許文献２】特開２００６−５６０７８号公報
【特許文献３】特開平１０−８６４７２号公報
【発明の概要】
【発明が解決しようとする課題】
【０００４】
インクジェットプリンターでは、インク滴の吐出が一時的に休止されているノズルにおいて、インクの乾燥・増粘によって、インク滴の吐出不良が発生してしまう場合がある。ラインプリンターでは、特許文献１のように、休止中のノズルにおけるインクの増粘を抑制するために、印刷用紙において印刷画像が形成される印刷領域の外側の領域を用いてインク滴の吐出を行う場合がある。
【０００５】
これに対して、本願発明の発明者は、印刷領域の外側の領域にインクを吐出した場合には、当該インクが乾燥する前に印刷領域まで流動してしまい、印刷画像を劣化させてしまう場合があるとの新規な課題を見出した。また、特許文献２に開示されているような凝集剤と組み合わせて用いられるインクは、通常のインクよりもインク自体の流動性が高いため、上記の課題はそうしたインクを用いているインクジェットプリンターにおいて現れやすいことを見出した。
【課題を解決するための手段】
【０００６】
本発明は、ラインプリンターや凝集剤を用いた印刷処理を実行する印刷装置に限らず、少なくとも印刷領域以外の領域にインク滴の吐出を行う印刷装置における上記の新規な課題を解決するためになされたものであり、以下の形態として実現することが可能である。
【０００７】
［１］本発明の一形態によれば、印刷方法が提供される。この印刷方法は、反応液層形成工程と、フラッシング工程と、を備えて良い。前記反応液層形成工程は、インクヘッドから吐出される色材を含むインクによって印刷データに基づく印刷画像が形成される記録媒体上の印刷領域以外の非印刷領域に、前記色材と凝集反応可能な凝集剤を含む反応液の層である反応液層を形成する工程であって良い。前記フラッシング工程は、前記非印刷領域の前記反応液層の上に前記インクヘッドから前記インクを吐出させて前記インクヘッドのフラッシングを行う工程であって良い。この形態の印刷方法によれば、印刷領域外で行ったフラッシングにおいて吐出されたインクが印刷領域まで流動してしまうことが抑制されるため、印刷画像の劣化が抑制される。
【０００８】
［２］上記形態の印刷方法は、さらに、前記反応液層形成工程において用いられる前記反応液の量を、前記フラッシング工程において前記インクヘッドから吐出される前記インクの量に応じて決定する反応液量決定工程を備えて良い。この形態の印刷方法によれば、フラッシング工程において反応液が無駄に消費されることを抑制できる。
【０００９】
［３］上記形態の印刷方法は、前記フラッシング工程の実行頻度に応じて前記フラッシングにおいて吐出される前記インクの量を決定するインク量決定工程を備えて良い。この形態の印刷方法によれば、上記の効果に加えて、ノズルの吐出不良の発生をより確実に抑制することができる。
【００１０】
［４］上記形態の印刷方法は、前記フラッシング工程の実行頻度を前記印刷領域における前記印刷画像の形成に用いられるインク量に応じて設定する頻度設定工程を備えて良い。この形態の印刷方法によれば、印刷画像の形成に用いられるインク量に応じてフラッシングがより適切に実行される。
【００１１】
［５］上記形態の印刷方法は、さらに、前記反応液を反応液ヘッドから前記記録媒体上に吐出させて第１反応液層を形成し、前記第１反応液層の上に前記インクヘッドから前記インクを吐出させて前記印刷領域に前記印刷画像を形成する印刷画像形成工程を備えて良く、前記反応液層形成工程は、前記反応液ヘッドから前記反応液を吐出させることによって前記反応液層としての第２反応液層を形成する工程であって良い。この形態の印刷方法によれば、凝集剤を用いて印刷画像の画質を高めることができるとともに、印刷処理に用いられる凝集剤によって非印刷領域に吐出されたインクが印刷領域まで流動してしまうことを抑制でき、効率的である。
【００１２】
［６］本発明の他の形態によれば、印刷装置が提供される。この形態の印刷装置は、インクヘッドと、反応液層形成部と、フラッシング制御部と、を備えて良い。前記インクヘッドは、記録媒体上に色材を含むインクを吐出可能であって良い。前記反応液層形成部は、前記インクヘッドから吐出される色材を含むインクによって印刷データに基づく印刷画像が形成される記録媒体上の印刷領域以外の非印刷領域に、前記色材と凝集反応可能な凝集剤を含む反応液の層である反応液層を形成可能であって良い。前記フラッシング制御部は、前記非印刷領域の前記反応液層の上に前記インクヘッドから前記インクを吐出させて前記インクヘッドのフラッシングを行って良い。この形態の印刷装置によれば、印刷領域外で行ったフラッシングにおいて吐出されたインクが印刷領域まで流動してしまうことが抑制されるため、印刷画像の劣化が抑制される。
【００１３】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１４】
本発明は、印刷方法や印刷装置以外の種々の形態で実現することも可能である。例えば、フラッシング方法や印刷装置の制御方法、それらの方法を実現するためのコンピュータープログラム、そのコンピュータープログラムを記録した一時的でない記録媒体等の形態で実現することができる。
【図面の簡単な説明】
【００１５】
【図１】印刷装置の構成を示す概略図。
【図２】印刷処理後の印刷基材の印刷面を表す模式図。
【図３】印刷装置において実行される印刷処理のフローを示す説明図。
【図４】フラッシング処理に好適な反応液量を求める実験の実験結果を示す説明図。
【図５】印刷画像形成処理のフローを示す説明図。
【図６】フラッシング処理のフローを示す説明図。
【図７】印刷処理後の印刷基材の厚み方向に沿った断面を示す概略断面図。
【発明を実施するための形態】
【００１６】
A．実施形態：
［印刷装置の全体構成］
図１は、本発明の一実施形態としての印刷装置１０の構成を示す概略図である。本実施形態の印刷装置１０は、記録媒体に対してインク滴を吐出して印刷画像を形成するインクジェット方式のラインプリンターであり、長手方向に搬送される帯状の印刷基材１２に対して連続印刷を実行する。本実施形態では、印刷装置１０はラベル印刷に用いられ、記録媒体である印刷基材１２の印刷面は普通紙に較べてインクの吸収性が低い表面性状を有する。そのため、印刷装置１０は、印刷基材１２に対するインク滴の定着性を向上させるために、印刷基材１２に対するインク滴の吐出の前に印刷基材１２の表面に凝集剤を含む反応液を塗布する（詳細は後述）。なお、印刷装置１０はラベル印刷以外の印刷を実行することも可能であり、印刷基材１２としては、例えば、光沢紙やコート紙、ＯＨＰフィルムなどの基材を用いることも可能である。また、印刷基材１２としては、前記の基材に限らず、普通紙や和紙、インクジェット用紙などの液体の吸収性の高い基材が用いられても良い。
【００１７】
印刷装置１０は、制御部１１と、複数の搬送ローラー１３と、基材繰出部２０と、印刷実行部３０と、乾燥部４０と、基材巻取部５０と、を備えている。制御部１１は、中央処理装置と主記憶装置とを備えるマイクロコンピューターによって構成されており、プログラムの実行により、印刷装置１０の各構成部を制御するための種々の機能を発揮する。本実施形態では、制御部１１は、少なくとも、印刷画像形成部１１ｐとフラッシング制御部１１ｆとして機能する。印刷画像形成部１１ｐは、印刷処理において印刷画像を形成する印刷画像形成処理を実行し、フラッシング制御部１１ｆは、印刷処理においてフラッシング処理を実行する。印刷画像形成処理およびフラッシング処理については後述する。
【００１８】
複数の搬送ローラー１３は、印刷装置１０において、印刷基材１２を長手方向に搬送する搬送路１５を構成する。複数の搬送ローラー１３は、基材繰出部２０と、印刷実行部３０と、乾燥部４０と、基材巻取部５０と、が搬送路１５によってこの順で接続されるように印刷装置１０内に適宜配置されている。以下では、搬送路１５の基材繰出部２０側を「上流側」と呼び、基材巻取部５０側を「下流側」と呼ぶ。各搬送ローラー１３は、印刷基材１２の短手方向（幅方向）において印刷基材１２を支持する。
【００１９】
基材繰出部２０は、印刷基材１２がロール状に巻かれている基材ローラー２１を備えている。基材ローラー２１は制御部１１によって制御されているモーター（図示は省略）によって所定の回転速度で回転し、基材ローラー２１から印刷基材１２を印刷実行部３０に繰り出す。
【００２０】
印刷実行部３０は、印刷処理において、印刷画像形成部１１ｐおよびフラッシング制御部１１ｆの制御下において印刷画像形成処理およびフラッシング処理を実行する。印刷実行部３０は、径の大きい回転ドラム３１と、回転ドラム３１の周囲に配設されている印刷ヘッド部３２と、を備える。
【００２１】
回転ドラム３１は、制御部１１によって制御されているモーター（図示は省略）によって所定の回転速度で回転する。回転ドラム３１は、その円周側面３１ｓにおいて印刷基材１２の印刷面の裏側の面と面接触して支持しつつ印刷基材１２を搬送する。つまり、回転ドラム３１は搬送路１５の一部を構成している。回転ドラム３１の上流側と下流側にはそれぞれ、回転ドラム３１の円周側面３１ｓ上の印刷基材１２に対して長手方向の張力が付与可能なように、搬送ローラー１３が配置されている。
【００２２】
印刷ヘッド部３２は、７種類の液体吐出ヘッド３２ｒ，３２ｗ，３２ｂ，３２ｃ，３２ｍ，３２ｙ，３２ｐを有している。以下の説明において、「液体吐出ヘッド３２ｒ〜３２ｐ」と呼ぶときは、７つの液体吐出ヘッド３２ｒ，３２ｗ，３２ｂ，３２ｃ，３２ｍ，３２ｙ，３２ｐの全てを意味している。
【００２３】
液体吐出ヘッド３２ｒ〜３２ｐは、ラインヘッドであり、制御部１１の指令に応じたタイミングとサイズで液滴を吐出する。液体吐出ヘッド３２ｒ〜３２ｐからの液滴の吐出によって、印刷基材１２の表面には、反応液層８１や、インク層８２、オーバープリント層８３が形成される。液体吐出ヘッド３２ｒ〜３２ｐの詳細については、液体吐出ヘッド３２ｒ〜３２ｐによって形成される各層８１〜８３についての説明とともに後述する。
【００２４】
乾燥部４０は、制御部１１によって加熱温度が制御される加熱部４２を備えている。乾燥部４０は、反応液層８１とインク層８２とオーバープリント層８３とが形成された印刷基材１２を印刷実行部３０から受け入れ、加熱部４２による加熱によって前記の各層８１〜８３の乾燥を促進させる。なお、乾燥部４０では、搬送路１５を平行な方向に重畳的に往復させることによって各層８１〜８３の乾燥のための搬送距離が確保されている。
【００２５】
基材巻取部５０は、制御部１１の指令に応じた所定の回転速度で回転駆動する巻取ローラー５１を備える。巻取ローラー５１は、乾燥部４０から繰り出された各層８１〜８３が形成された印刷基材１２を巻き取る。以上の構成により、印刷装置１０は印刷基材１２に対して印刷画像を連続的に実行する。
【００２６】
［液体吐出ヘッドの構成および反応液吐出ヘッドによる各層の形成］
（１）液体吐出ヘッドの全体概要
印刷ヘッド部３２が備える液体吐出ヘッド３２ｒ〜３２ｐは、吐出対象である液体の貯留空間を含む液体流路と、当該液体を吐出させるための駆動力を発生可能な素子（例えば、ピエゾ素子やヒーター素子）と、を有している。また、液体吐出ヘッド３２ｒ〜３２ｐは、印刷基材１２の幅方向にわたって印刷装置１０の印刷解像度に応じた所定の間隔で配列されている複数の吐出口（ノズル）を有している。
【００２７】
液体吐出ヘッド３２ｒ〜３２ｐは、回転ドラム３１の回転軸ｒｘに対して放射条に配列されており、印刷基材１２の印刷可能領域にそれぞれの液滴を吐出可能なように、それぞれのノズルが回転ドラム３１の円周側面３１ｓに向かって開口している。本実施形態の印刷装置１０では、回転ドラム３１がいわゆるプラテンとして機能する。以下では、液体吐出ヘッド３２ｒ〜３２ｐのそれぞれについて、搬送路１５において上流側から下流側に配置されている順序で説明する。
【００２８】
（２）反応液吐出ヘッドおよび反応液層
第１の液体吐出ヘッド３２ｒは、本発明における反応液層形成部に相当し、反応液の液滴を吐出して印刷基材１２の印刷面に反応液層８１を形成する。反応液は色材と凝集反応が可能な凝集剤を含有する溶液である。本実施形態では、凝集剤として、インクに含まれる色材と凝集反応が可能な酢酸カルシウムや硝酸カルシウムなどの多価金属塩が用いられる。反応液には、凝集剤の他に、溶媒としての水や界面活性剤などが含有されても良い。また、凝集剤としては、酢酸カルシウムや硝酸カルシウム以外の多価金属塩であっても良い。以下では、第１の液体吐出ヘッド３２ｒを「反応液吐出ヘッド３２ｒ」とも呼ぶ。
【００２９】
（３）インク吐出ヘッドおよびインク層
第２〜第６の５つの液体吐出ヘッド３２ｗ，３２ｂ，３２ｃ，３２ｍ，３２ｙは、インクヘッドに相当し、それぞれ異なる色系の粒子状の色材を含むインクを印刷基材１２に吐出可能である。本実施形態では、インクとして水性レジンインクが用いられる。なお、インクは水性レジンインクに限定されることはなく、種々の色材を含むインクを採用することができる。
【００３０】
第２の液体吐出ヘッド３２ｗは白色系のインクを吐出する。第３の液体吐出ヘッド３２ｂは黒色系のインクを吐出する。第４の液体吐出ヘッド３２ｃはシアン系の色インクを吐出する。第５の液体吐出ヘッド３２ｍはマゼンタ系の色インクを吐出する。第６の液体吐出ヘッド３２ｙは黄色系の色インクを吐出する。
【００３１】
以下では、液体吐出ヘッド３２ｗ，３２ｂ，３２ｃ，３２ｍ，３２ｙのそれぞれを「インク吐出ヘッド３２ｗ，３２ｂ，３２ｃ，３２ｍ，３２ｙ」とも呼ぶ。また、これら５つのインク吐出ヘッド３２ｗ，３２ｂ，３２ｃ，３２ｍ，３２ｙを合わせて「インク吐出ヘッド３２ｉ」とも呼ぶ。インク吐出ヘッド３２ｉのインク滴の吐出によって、印刷基材１２の反応液層８１の上に印刷画像を形成するインク層８２が形成される。
【００３２】
（４）オーバープリント用ヘッドおよびオーバープリント層
第７の液体吐出ヘッド３２ｐは、オーバープリント液の液滴を吐出して反応液層８１およびインク層８２の上にオーバープリント層８３を形成する。以下では、第７の液体吐出ヘッド３２ｐを、「オーバープリント用ヘッド３２ｐ」とも呼ぶ。本明細書において「オーバープリント」とは、印刷画像の上に透光性を有する樹脂被膜をインク材料の付着・乾燥によって形成することを意味する。「オーバープリント液」とはオーバープリントに用いられるインク材料であり、「オーバープリント層」とは当該インク材料の液層またはその液層が乾燥した膜層を意味する。
【００３３】
本実施形態では、オーバープリント液として、以下の樹脂の少なくとも１つを無機溶媒または有機溶媒に分散させた溶液が用いられる。下記の樹脂材料を用いることによって、オーバープリント層は、ほぼ透明な被膜として形成される。なお、オーバープリント液に用いられる樹脂材料は下記のものに限定されることはない。
〈オーバープリント液に含まれる樹脂の例一覧〉
スチレンアクリル系樹脂／ポリエチレン系樹脂／ウレタン系樹脂／ポリエステル系樹脂／アクリル系樹脂／フルオレン系樹脂
【００３４】
［印刷処理の概要］
図２は、本実施形態の印刷装置１０において実行される印刷処理の概要を説明するための模式図である。図２には、印刷処理後の印刷基材１２の印刷面が模式的に表されている。本実施形態の印刷装置１０では、上述したように、印刷処理において、印刷画像形成部１１ｐの制御下で搬送中の印刷基材１２に対して複数の印刷画像ＩＭが連続的に形成される。そのため、巻取ローラー５１に巻き取られる印刷処理後の印刷基材１２の印刷面には、印刷基材１２の搬送方向に複数の印刷画像ＩＭが所定の間隔で配列される。本実施形態では、印刷基材１２の幅方向における印刷画像ＩＭのサイズが印刷基材１２の幅方向における印刷可能領域の幅の２分の１以下である場合には、図２に例示されているように、印刷画像ＩＭは複数個が印刷基材１２の幅方向にも配列される。
【００３５】
本実施形態の印刷装置１０では、さらに印刷処理の途中の所定のタイミングでフラッシング制御部１１ｆによってフラッシング処理が実行される。フラッシング処理は、インクの乾燥による増粘に起因して発生するインク吐出ヘッド３２ｉにおけるノズルの吐出不良を抑制するために、インク吐出ヘッド３２ｉの全てのノズルにインク滴を吐出させるメンテナンス処理である。
【００３６】
本実施形態の印刷装置１０では、フラッシング処理は印刷処理において印刷基材１２の搬送方向に印刷画像ＩＭが形成される合間に実行される。そのため、印刷処理後の印刷基材１２の印刷面には、印刷基材１２の搬送方向において印刷画像ＩＭの間の非印刷領域ＮＰＡにフラッシング処理において吐出されたインクが付着したインク付着部ＩＡが形成される。インク付着部ＩＡは、インク吐出ヘッド３２ｉのノズルの配列幅全体に相当する領域、すなわち、印刷基材１２の幅方向における印刷可能領域の全体にわたって形成される。
【００３７】
本実施形態では、インク付着部ＩＡは、印刷基材１２の搬送方向において予め設定された一定の幅（例えば、３ｍｍ〜１０ｍｍ程度）を有するように形成されている。なお、フラッシング処理では、全てのノズルからインク滴が吐出されても良いし、直前の印刷画像ＩＭの形成時におけるインクの吐出の有無に応じてインク滴の吐出の可否が制御されても良い。インク付着部ＩＡでは、吐出されたインク滴のドットによって何らかの印刷画像が構成されていても良い。図２の例では、印刷基材１２の搬送方向において印刷画像ＩＭが形成されるごとにインク付着部ＩＡが形成されているが、インク付着部ＩＡの間の印刷画像ＩＭの数は、印刷処理におけるフラッシング処理の実行頻度に応じて変わってくる（後述）。
【００３８】
ここで、本実施形態のフラッシング処理では、インク滴の吐出が行われる前に、インク付着部ＩＡが形成される領域に反応液吐出ヘッド３２ｒから反応液が吐出されて反応液層８１が形成される。つまり、本実施形態のフラッシング処理においては、非印刷領域ＮＰＡに予め形成されている反応液層８１の上にインク滴が吐出される。これによって、フラッシング処理によって形成されたインク付着部ＩＡにおけるインクの定着性が高められる。そのため、例えば、本実施形態の印刷装置１０のように、印刷実行部３０において印刷基材１２にインクが吐出された後に印刷基材１２の印刷面が傾斜する構成を有している場合であっても、インク付着部ＩＡのインクが流動してしまうことが抑制される。従って、インク付着部ＩＡのインクがその乾燥前に印刷画像ＩＭへと流動し、印刷画像ＩＭを汚損・劣化させてしまうことが抑制される。
【００３９】
このように、本実施形態の印刷装置１０が実行する印刷処理では、フラッシング処理が適宜実行されつつ印刷画像ＩＭが連続印刷される。そのため、連続印刷の途中でノズルの吐出不良によって印刷画像ＩＭの画質が劣化してしまうことが抑制される。また、フラッシング処理は非印刷領域ＮＰＡを利用して実行されるため、連続印刷の流れが阻害されることがなく、効率的である。
【００４０】
さらに、本実施形態の印刷装置１０では、フラッシング処理において予め形成された反応液層８１の上にインク滴が吐出される。従って、フラッシング処理において非印刷領域ＮＰＡに吐出されたインクが印刷領域ＰＡに流動してしまうことが抑制され、印刷画像ＩＭの劣化が抑制される。以下では、上記の印刷画像形成処理とフラッシング処理とが実行される印刷処理の詳細を説明する。
【００４１】
［印刷処理の手順］
図３〜図７を順次参照して印刷装置１０において実行される印刷処理の詳細を説明する。図３は、印刷装置１０において実行される印刷処理のフローを示す説明図である。ステップＳ１０では、制御部１１は外部から印刷データＰＤを取得する。印刷データＰＤは、例えば、文字や図形がレイアウトされた文書データや、写真画像などのラスターデータ、各種のアプリケーションプログラムにおいて作成された画像を表すデータであっても良い。
【００４２】
ステップＳ２０では、印刷画像形成部１１ｐが、印刷データＰＤに基づいて、液体吐出ヘッド３２ｒ〜３２ｐによる各液滴の吐出を制御するための制御データを生成する。この制御データは、各液体吐出ヘッド３２ｒ〜３２ｐの各ノズルが液滴を吐出すべきタイミングを表すデータである。印刷画像形成部１１ｐは、制御データとして、インク滴の吐出のためのインク吐出制御データと、反応液の液滴の吐出のための反応液吐出制御データと、オーバープリント液の液滴の吐出のためのオーバープリント液吐出制御データと、生成する。
【００４３】
印刷画像形成部１１ｐは、まず、インク吐出制御データを以下のように生成する。印刷画像形成部１１ｐは、印刷データＰＤに表されている画像の出力サイズを検出し、その主力サイズと出力数とに応じて画像の印刷基材１２の印刷可能領域におけるレイアウトを決定する。図２で説明したように、本実施形態では、出力サイズが小さい印刷画像ＩＭは、印刷基材１２の幅方向に配列され、印刷基材１２における印刷可能領域の利用効率が高められる。印刷画像形成部１１ｐは、印刷画像ＩＭの配置角度を変更してそのレイアウトを行うものとしても良い。
【００４４】
印刷画像形成部１１ｐは、印刷データＰＤに表されている画像を色分解し、各色ごとにハーフトーン処理を行う。印刷画像形成部１１ｐは、印刷画像ＩＭのレイアウト結果と、ハーフトーン処理の結果とに基づいて、各インク吐出ヘッド３２ｗ，３２ｂ，３２ｃ，３２ｍ，３２ｙの各ノズルがインクを吐出すべきタイミングを決定し、インク吐出制御データを生成する。
【００４５】
次に、印刷画像形成部１１ｐは、インク吐出制御データに基づいて、反応液吐出制御データと、オーバープリント液吐出制御データと、を生成する。印刷画像形成部１１ｐは、少なくとも印刷画像ＩＭが形成される領域全体にわたって反応液層８１が形成されるように、各液体吐出ヘッド３２ｒの各ノズルが反応液を吐出すべきタイミングを決定し、反応液吐出制御データを生成する。本実施形態では、印刷画像ＩＭが形成される領域（すなわち、インク層８２が形成される領域）を覆うように、当該領域よりも広い範囲の領域に反応液層８１が形成される。これによって、インクが反応液層８１の外に吐出されてしまうことが抑制される。
【００４６】
続いて、印刷画像形成部１１ｐは、少なくともインクまたは反応液が吐出される領域全体にわたってオーバープリント液が吐出されるように、オーバープリント用ヘッド３２ｐの各ノズルがオーバープリント液を吐出すべきタイミングを決定する。そして、オーバープリント液吐出制御データを生成する。本実施形態では、反応液層８１が形成される領域を覆うように当該領域より広い範囲の領域にオーバープリント層８３が形成される。これによって、インク層８２と反応液層８１の両方をオーバープリント層８３によって覆わせることができる。
【００４７】
ステップＳ３０では、フラッシング制御部１１ｆは、印刷画像形成部１１ｐが形成した制御データに基づいてフラッシング処理の実行条件を決定する。本実施形態では、フラッシング処理の実行条件として、（ｉ）フラッシング処理の実行頻度と、（ｉｉ）フラッシング処理において吐出すべきインク量と、（ｉｉｉ）フラッシング処理において吐出すべき反応液量と、を決定する。
【００４８】
（ｉ）フラッシング処理の実行頻度
フラッシング処理の実行頻度は、印刷処理後の印刷基材１２（図３）におけるインク付着部ＩＡの印刷基材１２の搬送方向における間隔ＦＤ（以下、単に「インク付着部ＩＡの間隔ＦＤ」とも呼ぶ。）に相当する。本実施形態では、フラッシング制御部１１ｆは、フラッシング処理の実行頻度を、印刷基材１２の搬送方向における印刷画像ＩＭのサイズに応じて決定する。具体的には、印刷画像ＩＭにおいて吐出されるインク量が多いほど、ノズルにおけるインクの増粘の可能性が低いものとして、フラッシング処理の実行間隔を長くする。逆に、印刷画像ＩＭにおいて吐出されるインク量が少ないほど、ノズルにおけるインクの増粘の可能性が高いものとして、フラッシング処理の実行間隔を短くする。すなわち、印刷画像ＩＭの形成に使用されるインク量が多い場合には２回のフラッシング処理の間に形成される印刷画像ＩＭの数が多くなる。一方、印刷画像ＩＭの形成に使用されるインク量が少ない場合には２回のフラッシング処理の間に形成される印刷画像ＩＭの数が少なくなる。フラッシング制御部１１ｆは、予め準備されたマップ等を用いてこの処理を行うものとしても良い。
【００４９】
このように、印刷画像ＩＭを形成するために吐出されるインク量に応じてフラッシング処理の実行頻度が決定されることによって、フラッシング処理の実行タイミングや実行回数が適切化される。従って、ノズルの吐出不良がより確実に抑制されるとともに、無駄にフラッシング処理が実行されてインクの消費量が増加してしまうことが抑制される。なお、このフラッシング処理の実行頻度を決定する工程が頻度設定工程に相当する。
【００５０】
（ｉｉ）フラッシング処理において吐出すべきインク量
フラッシング制御部１１ｆは、フラッシング処理において各ノズルが吐出すべきインク量ＩＭＦ（以下、単に「フラッシング量ＩＭＦ」とも呼ぶ。）をフラッシング処理の実行頻度、すなわち、フラッシング処理の実行間隔に応じて決定する。フラッシング量ＩＭＦは、インク付着部ＩＡにおいて単位面積あたりに各ノズルから吐出されるインクの重量である。フラッシング制御部１１ｆは、フラッシング処理の実行間隔が長いほどフラッシング量ＩＭＦを増加させ、フラッシング処理の実行間隔が短いほどフラッシング量ＩＭＦを減少させる。これによって、フラッシング処理によるノズルの回復効果を高めることができる。このフラッシング量ＩＭＦを決定する工程はインク量決定工程に相当する。
【００５１】
本発明の発明者は、実験によって、フラッシング量ＩＭＦを以下の不等式（１）を満たすように設定することが望ましいことを見出した。下記不等式（１）中の０．３２は実験的に求められた定数である。ＦＩは、フラッシング処理の実行間隔（フラッシング処理の実行周期）であり、インク付着部ＩＡの間隔ＦＤ（図２）を印刷基材１２の搬送速度によって除算した値に相当する。
ＩＭＦ［ｍｇ／ｉｎｃｈ２］≧０．３２［ｍｇ／ｉｎｃｈ２・ｓ］・ＦＩ［ｓ］  …（１）
【００５２】
（ｉｉｉ）フラッシング処理において吐出すべき反応液量
フラッシング制御部１１ｆは、フラッシング処理において反応液層８１を形成するために吐出すべき反応液の量ＲＭ（以下、単に「反応液量ＲＭ」とも呼ぶ。）を、フラッシング処理において吐出されるインクの総量ＩＴＭ（以下、単に「インク吐出総量ＩＴＭ」とも呼ぶ。）に応じて決定する。ここで、反応液量ＲＭは、反応液層８１における単位面積あたりの反応液の重量である。インク吐出総量ＩＴＭは、インク付着部ＩＡの形成において単位面積あたりに吐出される各色のインク滴の重量の合計である。
【００５３】
本実施形態では、フラッシング制御部１１ｆは、インク吐出総量ＩＴＭが大きいほど、反応液量ＲＭが大きくなるように設定する。これによって、反応液層８１における凝集剤の量がフラッシング処理において吐出されるインクの量に対して不足してしまうことが抑制され、インク付着部ＩＡにおけるインクの固着性が高められる。従って、インク付着部ＩＡのインクが印刷領域ＰＡに向かって流動してしまうことがより確実に抑制される。
【００５４】
ここで、本発明の発明者は、実験によって下記の数式（２）のように、反応液量ＲＭをインク吐出総量ＩＴＭに応じて線形的に増加させることが望ましいことを見出した。下記の数式（２）における係数ｋは実験的に求められる正の定数であり、反応液の種類や濃度によってその値が決まる。
ＲＭ［ｍｇ／ｉｎｃｈ２］＝ｋ・ＩＴＭ［ｍｇ／ｉｎｃｈ２］  …（２）
【００５５】
図４は、フラッシング処理に好適な反応液量ＲＭを求める実験の実験結果を示す説明図である。図４の（Ａ）欄には評価結果をまとめた表が示されている。図４の（Ｂ）欄には（Ａ）欄の表において、下線が付されている評価結果が得られたときの反応液量ＲＭとインク吐出総量ＩＴＭとの関係を示すグラフが図示されている。
【００５６】
この実験では、下記の反応液を、インクジェット方式のラインヘッドによって、解像度１２００×１２００ｄｐｉで印刷用紙の所定の面積を有する領域内に吐出した。そして、その上に同じノズル解像度を有するインクジェット方式のラインヘッドによって水性レジンインクを吐出し、印刷用紙を４５°以上の所定の角度で傾けたときに、インクが反応液の塗布された領域からはみ出して流動するか否かを観察した。図４の（Ａ）欄の表には、インクの流動が観察されなかったときを「Ａ」とし、インクの流動が観察されたときを「Ｂ」として示されている。
〈実験に用いた反応液〉
・硝酸カルシウム水溶液
・カチオンイオン濃度：８×１０−７［ｍｏｌ／ｍｇ］
【００５７】
図４の（Ｂ）欄におけるグラフに示されているように、フラッシング処理におけるインク吐出総量ＩＴＭに対してインクの流動が抑制される反応液量ＲＭの最小値は、ほぼ線形的に増加した。本実施形態では、この知見に基づいて、予め実験的に取得したインク吐出総量ＩＴＭと反応液量ＲＭの最小値の間の線形関係（上記数式（２））に基づいて反応液量ＲＭを決定することとしている。これによって、インク付着部ＩＡにおけるインクの固着性を確保したまま、反応液量ＲＭの消費量を抑制することができる。なお、本実験の実験結果から得られた上記数式（２）の係数ｋは、０．０２９である。
【００５８】
ステップＳ４０（図３）では、印刷画像形成部１１ｐは、ステップＳ２０で作成した制御データに基づいて印刷実行部３０（図１）に印刷画像ＩＭを形成する印刷画像形成処理を実行させる。そして、ステップＳ４０の印刷画像形成処理の合間には、ステップＳ５０として、フラッシング制御部１１ｆが、ステップＳ３０において決定したフラッシング処理の実行頻度に応じたタイミングで印刷実行部３０にフラッシング処理を実行させる。
【００５９】
図５は、ステップＳ４０における印刷画像形成処理のフローを示す説明図である。本実施形態の印刷装置１０では、図１において説明したように、上流側から反応液吐出ヘッド３２ｒとインク吐出ヘッド３２ｉとオーバープリント用ヘッド３２ｐとがこの順で配列されている。そのため、印刷実行部３０において、以下に説明する３つの連続した工程によって短時間で効率的に印刷画像が形成される。
【００６０】
工程Ｐ１では、反応液吐出ヘッド３２ｒによって、印刷基材１２の印刷領域ＰＡに第１反応液層に相当する反応液層８１が形成される。工程Ｐ２では、インク吐出ヘッド３２ｉによって、その反応液層８１の上にインク層８２が形成される。工程Ｐ３では、オーバープリント用ヘッド３２ｐによって反応液層８１およびインク層８２の上にオーバープリント層８３が形成される。以上の工程により、印刷基材１２に印刷画像ＩＭが形成される。
【００６１】
図６は、ステップＳ５０におけるフラッシング処理のフローを示す説明図である。本実施形態の印刷装置１０では、印刷実行部３０において、以下に説明する２つの連続した工程Ｆ１，Ｆ２によってフラッシング処理が実行される。工程Ｆ１は反応液層形成工程に相当し、工程Ｆ２はフラッシング工程に相当する。
【００６２】
工程Ｆ１では、反応液吐出ヘッド３２ｒによって、印刷基材１２の非印刷領域ＮＰＡに第２反応液層に相当する反応液層８１が形成される。このときの反応液層８１が形成される領域は、予めフラッシング処理のために設定されている領域であり、インク付着部ＩＡが形成される領域を含む領域である。工程Ｆ１では、上記のステップＳ３０において設定された反応液量ＲＭに基づいたサイズの反応液の液滴が吐出されることによって反応液層８１が形成される。
【００６３】
工程Ｆ２では、インク吐出ヘッド３２ｉの各ノズルから、印刷基材１２の非印刷領域ＮＰＡに形成された反応液層８１の上にインク滴が吐出されてインク層８２が形成される。工程Ｆ２では、ステップＳ３０において決定されたフラッシング量ＩＭＦに応じたサイズのインク滴がインク吐出ヘッド３２ｉの各ノズルから吐出される。
【００６４】
図７は、印刷処理後の印刷基材１２の厚み方向に沿った断面を示す概略断面図である。印刷処理後の印刷基材１２には、反応液層８１と、インク層８２と、オーバープリント層８３と、がこの順で積層されて印刷画像ＩＭが形成されている。一方、印刷基材１２の非印刷領域ＮＰＡには、反応液層８１と、インク層８２と、がこの順で積層されているインク付着部ＩＡが形成されている。なお、オーバープリント層８３は、インク付着部ＩＡの上にも形成されても良い。ただし、インク付着部ＩＡの上のオーバープリント層８３を省略した方が、オーバープリント液の無駄な消費が抑制されるため効率的である。
【００６５】
［本実施形態のまとめ］
以上のように、本実施形態の印刷装置１０において実行される印刷処理では、フラッシング処理において、先に印刷基材１２に付着させた反応液の上にインク滴が吐出される。従って、当該インクが印刷画像ＩＭに流動してしまうことが抑制され、印刷画像ＩＭの劣化が抑制される。また、本実施形態の印刷装置１０によれば、フラッシング処理において吐出されるインク量や反応液の量が適切に制御されるため、フラッシング処理の実行に伴う印刷効率の低下が抑制される。
【００６６】
B．変形例：
B1．変形例１：
上記実施形態では、反応液には凝集剤として多価金属塩が含有されている。これに対して、反応液に含まれる凝集剤としては他の化学物質が用いられても良い。凝集剤としては、インク中の色材を凝集可能な物質であれば良く、例えば、塩酸や硫酸、リン酸などの無機酸が用いられても良いし、カルボン酸やスルホン酸、酢酸、メタンスルホン酸などの有機酸が用いられても良い。
【００６７】
B2．変形例２：
上記実施形態の印刷装置１０では、インクとして水性レジンインクが用いられている。これに対して、印刷装置１０では水性レジンインク以外のインクが用いられても良い。例えば、水性顔料インクや油性顔料インクが用いられても良い。インクとしては、凝集剤との凝集反応が可能な色材を含むものであれば良い。
【００６８】
B3．変形例３：
上記実施形態の印刷装置１０では、フラッシング処理における反応液量ＲＭはフラッシング処理におけるインク吐出総量ＩＴＭに応じて決定されている。これに対して、フラッシング処理における反応液量ＲＭは一定量に設定されていても良いし、フラッシング処理におけるインク吐出総量ＩＴＭ以外のパラメーターに応じて決定されても良い。フラッシング処理における反応液量ＲＭは、例えば、インクの乾燥に影響する環境温度や環境湿度に応じて設定されても良いし、フラッシング処理の実行頻度に応じて設定されて良い。
【００６９】
B4．変形例４：
上記実施形態の印刷装置１０では、フラッシング処理の実行頻度に応じてフラッシング量ＩＭＦが決定されている。これに対して、フラッシング量ＩＭＦはフラッシング処理の実行頻度に拘わらず一定の量に設定されていても良いし、フラッシング量ＩＭＦは他のパラメーターに応じて設定されても良い。フラッシング量ＩＭＦは、例えば、環境温度や環境湿度に応じて設定されても良い。あるいは、フラッシング量ＩＭＦは、印刷画像形成処理において各ノズルから吐出されるインク量に応じて設定されても良い。この構成例においては、印刷画像形成処理においてインク滴の吐出が行われないノズルについてはフラッシング処理の実行が省略されても良い。
【００７０】
B5．変形例５：
上記実施形態の印刷装置１０では、フラッシング処理の実行頻度は、印刷画像ＩＭの形成のために使用されるインク量に応じて設定されている。これに対して、フラッシング処理は印刷画像ＩＭの形成のために使用されるインク量に拘わらず一定の周期で実行されるものとしても良い。フラッシング処理の実行頻度は、印刷画像ＩＭの形成のために使用されるインク量以外のパラメーターに応じて決定されても良い。フラッシング処理の実行頻度は、例えば、環境温度や環境湿度に応じて設定されても良い。フラッシング処理の実行頻度はインクの種類に応じて設定されても良い。すなわち、フラッシング処理の実行頻度は、印刷画像形成工程に関連するパラメーターに基づいて設定されるものとしても良い。
【００７１】
B6．変形例６：
上記実施形態の印刷装置１０では、印刷画像形成処理およびフラッシング処理において反応液層８１の形成領域にインク層８２が含まれるように、反応液層８１がインク層８２よりも広い範囲に形成されている。これに対して、反応液層８１は、印刷画像形成処理においてもフラッシング処理においてインク層８２とほぼ同じ範囲に形成されても良い。あるいは、反応液層８１は、インク層８２よりも狭い範囲で形成されても良い。このような構成であっても、インク付着部ＩＡのインクの流動を少なからず抑制することができる。
【００７２】
B7．変形例７：
上記実施形態の印刷装置１０では、フラッシング処理において形成されるインク付着部ＩＡは非印刷領域ＮＰＡにおいて一定の幅や面積を有するように形成されている。これに対して、フラッシング処理において形成されるインク付着部ＩＡの幅や面積は、フラッシング制御部１１ｆによって可変に制御されても良い。例えば、フラッシング制御部１１ｆは、印刷画像ＩＭのサイズやフラッシングの実行頻度に応じてインク付着部ＩＡの幅や面積を可変に制御しても良い。
【００７３】
B8．変形例８：
上記実施形態の印刷装置１０では、フラッシング処理においてインクの吐出の前に反応液吐出ヘッド３２ｒによって反応液が吐出されて反応液層８１が形成されている。これに対して、フラッシング処理においては、反応液吐出ヘッド３２ｒによる反応液の吐出以外の他の方法によって反応液層８１が形成されても良い。フラッシング処理において形成される反応液層８１は、例えば、スプレーやローラーなどによって非印刷領域ＮＰＡに形成されても良い。
【００７４】
B9．変形例９：
上記実施形態の印刷装置１０では、印刷画像形成処理において使用されるのと同じ反応液をフラッシング処理においても使用している。これに対して、フラッシング処理では、印刷画像形成処理のときとは異なる反応液によって反応液層が形成されても良い。
【００７５】
B10．変形例１０：
上記実施形態の印刷装置１０では、印刷画像形成処理において反応液層８１およびインク層８２の上にオーバープリント層８３が形成されている。これに対して、印刷画像形成処理におけるオーバープリント層８３の形成工程は省略されても良い。また、上記実施形態のフラッシング処理ではオーバープリント層８３は形成されていない。これに対して、フラッシング処理においても反応液層８１およびインク層８２の上にオーバープリント層８３が形成されても良い。オーバープリント層８３は印刷領域ＰＡおよび非印刷領域ＮＰＡの両方に跨がるように形成されても良い。
【００７６】
B11．変形例１１：
上記実施形態では、印刷装置１０はラインプリンターとしての構成を有している。これに対して、印刷装置１０はラインプリンター以外のタイプのプリンターとしての構成を有していても良い。例えば、印刷装置１０は、印刷ヘッドが印刷基材１２の幅方向に往復移動する構成を有していても良い。印刷装置１０は、少なくとも、印刷基材１２の非印刷領域ＮＰＡにおいてインクの吐出を行う構成を有していれば良い。
【００７７】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００７８】
１０…印刷装置
１１…制御部
１１ｐ…印刷画像形成部
１１ｆ…フラッシング制御部
１２…印刷基材
１３…搬送ローラー
１５…搬送路
２０…基材操出部
２１…基材ローラー
３０…印刷実行部
３１…回転ドラム
３１ｓ…円周側面
３２…印刷ヘッド部
３２ｒ…反応液吐出ヘッド
３２ｉ（３２ｗ，３２ｂ，３２ｃ，３２ｍ，３２ｙ）…インク吐出ヘッド
３２ｐ…オーバープリント用ヘッド
４０…乾燥部
４２…加熱部
５０…基材巻取部
５１…巻取ローラー
８１…反応液層
８２…インク層
８３…オーバープリント層
ＩＡ…インク付着部
ＩＭ…印刷画像
ＮＰＡ…非印刷領域
ＰＡ…印刷領域
ＰＤ…印刷データ
【図１】
2016043596.tif 000003
【図２】
2016043596.tif 000004
【図３】
2016043596.tif 000005
【図４】
2016043596.tif 000006
【図５】
2016043596.tif 000007
【図６】
2016043596.tif 000008
【図７】
2016043596.tif 000009